(57)【要約】  【課題】製造段階におけるスペース効率に優れるとともに大きさの異なる製品を柔軟に形成し得るスリーブコンテナを提供する。  【解決手段】筒状に構成されたスリーブＡと、スリーブＡの下部を閉塞する下閉塞体Ｂとを備えてなるスリーブコンテナＳであって、下閉塞体Ｂが、板材と、この板材の周縁部に接続し当該板材を支持する枠材Ｄとを備えてなるものであり、枠材Ｄが、板材の角部にそれぞれ配設されるコーナー部材２と、これらコーナー部材２間に配設されるフレーム部材３とを備えているものとした。【選択図】図１
2020083404.tif 000002
【特許請求の範囲】
【請求項１】
筒状に構成されたスリーブと、このスリーブの下部を閉塞する下閉塞体とを備えてなるスリーブコンテナであって、
前記下閉塞体が、板材と、この板材の周縁部に接続し当該板材を支持する枠材とを備えてなるものであり、
前記枠材が、前記板材の角部にそれぞれ配設されるコーナー部材と、これらコーナー部材間に配設されるフレーム部材とを備えているスリーブコンテナ。
【請求項２】
前記下閉塞体の下面側に、パレットの上載部と係り合う凹部が設けられている請求項１記載のスリーブコンテナ。
【請求項３】
前記スリーブの上部を閉塞し得る上閉塞体を備えたものであり、
前記上閉塞体が、板材と、この板材の周縁部に接続し当該板材を支持する枠材とを備えてなるものであり、
前記枠材が、前記板材の角部にそれぞれ配設されるコーナー部材と、これらコーナー部材間に配設されるフレーム部材とを備えている請求項１又は２記載のスリーブコンテナ。
【請求項４】
前記フレーム部材が、押出成形により作られたものである請求項１、２又は３記載のスリーブコンテナ。
【請求項５】
前記コーナー部材が、射出成形により作られたものである請求項１、２、３又は４記載のスリーブコンテナ。
【請求項６】
前記コーナー部材と、当該コーナー部材に隣接する前記フレーム部材とが、嵌合連結部を介して相互に連結されたものである請求項１、２、３、４又は５記載のスリーブコンテナ。
【請求項７】
前記嵌合連結部が、前記コーナー部材又は前記フレーム部材の何れか一方に設けられ水平方向に突出した突出部と、他方に設けられ前記突出部に外嵌する嵌合孔とを備えたものである請求項６記載のスリーブコンテナ。
【請求項８】
前記フレーム部材が、前記板材の端縁に外嵌する嵌合溝を備えている請求項１、２、３、４、５、６又は７記載のスリーブコンテナ。
【発明の詳細な説明】
【技術分野】
【０００１】
本発明は、種々の物品を収容可能なスリーブコンテナに関する。
【背景技術】
【０００２】
底部パレットの上に覆いを被せた形状のスリーブコンテナは、段ボールに代替するものとして、水を嫌う精密機械の包装や、種々の物品をひとまとめにして搬送する等の用途に使用されている。
【０００３】
従来のスリーブコンテナは、ブロー成形で作られた天板と底部パレットを有してなるものが殆どである。そのため、成形工場においてもかさばった形状で管理及び保管されるものであり、更には、組立工場においても組立前から多くの保管スペースを占有するものとなっていた。
【０００４】
また、ブロー成形により天板や底部パレットを製造する場合には、強度を確保するために所要の箇所で稜線部やリブ状の形状部分を形成しなければならない。このため、ブロー成形により製造された天板や底部パレットは、過剰に樹脂が集積する部分（いわゆる無駄肉）が多くならざるを得ずコストを削減する上での障害となっていた。
【０００５】
しかも、ブロー成形のための金型は極めて高価なものとなっていた。現実的な売価で金型代を償却するには一定の寸法のものを最低でも１０００個は作らねばならないという試算もある。このため、ブロー成形による天板や底部パレットを用いたスリーブコンテナは、近時の商取引において顕著である少量かつ多品種のニーズに必ずしも柔軟に対応できるものとなっていなかった。
【０００６】
さらに、フォークリフトのフォーク挿入孔を有するパレットは、多くの既存品が存在しているため、これらを好適に活用することができれば、新作部品の削減に資するとともに製造コストの低減に寄与し得ることが期待される。
【先行技術文献】
【特許文献】
【０００７】
【特許文献１】特許第６３４６７５２号公報
【発明の概要】
【発明が解決しようとする課題】
【０００８】
本発明は、以上のような事情に着目してなされたもので、少なくとも、製造段階におけるスペース効率に優れるとともに大きさの異なる製品を柔軟に形成し得るスリーブコンテナを提供することにある。
【課題を解決するための手段】
【０００９】
すなわち、本発明は次の構成をなしている。
【００１０】
請求項１に記載の発明は、筒状に構成されたスリーブと、このスリーブの下部を閉塞する下閉塞体とを備えてなるスリーブコンテナであって、前記下閉塞体が、板材と、この板材の周縁部に接続し当該板材を支持する枠材とを備えてなるものであり、前記枠材が、前記板材の角部にそれぞれ配設されるコーナー部材と、これらコーナー部材間に配設されるフレーム部材とを備えているスリーブコンテナである。
【００１１】
請求項２に記載の発明は、前記下閉塞体の下面側に、パレットの上載部と係り合う凹部が設けられている請求項１記載のスリーブコンテナである。
【００１２】
請求項３に記載の発明は、前記スリーブの上部を閉塞し得る上閉塞体を備えたものであり、前記上閉塞体が、板材と、この板材の周縁部に接続し当該板材を支持する枠材とを備えてなるものであり、前記枠材が、前記板材の角部にそれぞれ配設されるコーナー部材と、これらコーナー部材間に配設されるフレーム部材とを備えている請求項１又は２記載のスリーブコンテナである。
【００１３】
請求項４に記載の発明は、前記フレーム部材が、押出成形により作られたものである請求項１、２又は３記載のスリーブコンテナである。
【００１４】
請求項５に記載の発明は、前記コーナー部材が、射出成形により作られたものである請求項１、２、３又は４記載のスリーブコンテナである。
【００１５】
請求項６に記載の発明は、前記コーナー部材と、当該コーナー部材に隣接する前記フレーム部材とが、嵌合連結部を介して相互に連結されたものである請求項１、２、３、４又は５記載のスリーブコンテナである。
【００１６】
請求項７に記載の発明は、前記嵌合連結部が、前記コーナー部材又は前記フレーム部材の何れか一方に設けられ水平方向に突出した突出部と、他方に設けられ前記突出部に外嵌する嵌合孔とを備えたものである請求項６記載のスリーブコンテナである。
【００１７】
請求項８に記載の発明は、前記フレーム部材が、前記板材の端縁に外嵌する嵌合溝を備えている請求項１、２、３、４、５、６又は７記載のスリーブコンテナである。
【発明の効果】
【００１８】
以上説明したように本発明によれば、少なくとも、製造段階におけるスペース効率に優れるとともに大きさの異なる製品を柔軟に形成し得るスリーブコンテナを提供することができるものとなる。
【図面の簡単な説明】
【００１９】
【図１】本発明の一実施形態を示す斜視図。
【図２】同実施形態における分解斜視図。
【図３】図２におけるＶ部分拡大図。
【図４】図２におけるＷ部分拡大図。
【図５】同実施形態におけるコーナー部材の平面図。
【図６】図５におけるＹ方向矢視図。
【図７】図５におけるＸ−Ｘ線断面図。
【図８】同実施形態におけるフレーム部材の端面図。
【発明を実施するための形態】
【００２０】
以下、本発明の一実施形態を、図１〜８を参照して説明する。
【００２１】
この実施形態は、本発明を、種々の物品を収容し得るスリーブコンテナＳに適用したものである。
【００２２】
スリーブコンテナＳは、筒状に構成されたスリーブＡと、スリーブＡの下部を閉塞する下閉塞体Ｂと、スリーブＡの上部を閉塞し得る上閉塞体Ｃとを備えたものである。
【００２３】
まず、スリーブＡについて説明する。
【００２４】
スリーブＡは、合成樹脂製のプラスチック中空板によって形成された四角筒状のものである。この実施形態では、スリーブＡの角部は面取りされており斜め外方を向いている。
【００２５】
スリーブＡは、前壁ａ１と、前壁ａ１の両側端部から後方に延設された左右の側壁ａ２と、左右の側壁ａ２の後端部間に配設された後壁ａ３とを備えている。スリーブＡに使用されるプラスチック中空板は、例えば、キャップシートと、キャップシートを挟むように当該キャップシートの外面側及び内面側に配される平坦な外面シートとを備えたものである。なお、図面では、スリーブＡを模式的に表示しており詳細な内部構造を省略している。スリーブＡに適用されるプラスチック中空板は、種々適用できることは言うまでもない。プラスチックの内部に形成される気泡部分は、円柱形のものや角柱形のものなど適宜の形状を採用することができるものであり、また、気泡部分は単層のものに限られず複数層に構成されたものであってもよい
続いて、下閉塞体Ｂについて説明する。
【００２６】
下閉塞体Ｂは、平面視において矩形板状をなす板材たる下板材１と、下板材１の周縁部に接続し当該下板材１を支持する枠材たる下枠材Ｄとを備えている。下閉塞体Ｂの下面側には、パレットＰの上載部Ｐ１と係り合う凹部５が設けられている。
【００２７】
なお、パレットＰは、全体として扁平な矩形ブロック状をなしており、上部にスリーブコンテナＳを載置可能な上載部Ｐ１を有するとともに水平方向に貫通したフォークリフトのフォーク挿通孔Ｐ２を有した既知の構成のものである。
【００２８】
下板材１は、合成樹脂製のプラスチック中空板によって形成された矩形平板状のものである。なお、図面では、下板材１を模式的に示している。下板材１に使用されるプラスチック中空板は、例えば、キャップシートと、キャップシートを挟むように当該キャップシートの上面側及び下面側に配される平坦な外面シートとを備えたものである。下板材１の角部には、上下方向に貫通した取付孔１ａが設けられている。下板材１に適用されるプラスチック中空板は、種々適用できることは言うまでもない。プラスチックの内部に形成される気泡部分は、円柱形のものや角柱形のものなど適宜の形状を採用することができるものであり、また、気泡部分は単層のものに限られず複数層に構成されたものであってもよい
下枠材Ｄは、下板材１の角部にそれぞれ配設されるコーナー部材２と、各コーナー部材２間に配設されるフレーム部材３とを備えている。下枠材Ｄは、矩形状の下板材１の周縁部を支持し得る矩形枠状をなしている。下枠材Ｄは、四箇所の角部に配される四つのコーナー部材２と、コーナー部材２とは別体をなし各コーナー部材２間に配された四本のフレーム部材３とを備えている。
【００２９】
コーナー部材２は、射出成形により作られたものである。すなわち、コーナー部材２は、合成樹脂により一体に形成されている。
【００３０】
コーナー部材２は、略水平の姿勢をなす矩形板状の基部２１と、基部２１の外側縁から下方に向けて延設された外側壁２２と、基部２１に立設されスリーブＡにおける角部の下端部を外側から覆う形態をなす覆い壁２３と、覆い壁２３の両端部に突設されてなりフレーム部材３の嵌合孔３７に嵌合する突出部２４とを備えている。
【００３１】
基部２１は、上面側でスリーブＡの下端縁及び下板材１の下面に接し、スリーブＡ及び下板材１を下から支持し得るものである。基部２１における内角部近傍の上面には、上下方向に延びる貫通孔ｈ１を有したボス部２１ａが立設されている。ボス部２１ａは、下板材１の角部に設けられた取付孔１ａに内嵌されるものである。
【００３２】
コーナー部材２は、ボス部２１ａが取付孔１ａに内嵌した状態で当該ボス部２１ａに対して図示しないリベットが上側から装着されることにより、下板材１に連結されるようになっている。
【００３３】
外側壁２２は、平面視又は底面視において略Ｌ字状に形成されている。外側壁２２は、既知の構成をなすパレットＰの上載部Ｐ１に対して係り合う凹部５を構成し得るものである。すなわち、外側壁２２は、パレットＰの上載部Ｐ１における角部分が当接し得る形態をなしている。
【００３４】
覆い壁２３は、当該覆い壁２３の内面と対面するスリーブＡの角部分に略合致する形状をなしている。覆い壁２３は、内面側に配されるスリーブＡを基部２１の上に位置決めする機能を発揮する。
【００３５】
突出部２４は、覆い壁２３の側端部における下部からフレーム部材３側に向けて突設されている。突出部２４は、フレーム部材３に設けられた嵌合孔３７に挿入される。突出部２４と嵌合孔３７とが嵌合することにより、コーナー部材２とフレーム部材３とが位置決めされるとともに連結されることになる。
【００３６】
換言すれば、コーナー部材２と当該コーナー部材２に隣接するフレーム部材３とは、嵌合連結部４を介して相互に連結されている。この実施形態では、嵌合連結部４は、コーナー部材２に設けられ水平方向に突出した突出部２４と、フレーム部材３に設けられ突出部２４に外嵌する嵌合孔３７とを備えたものとなっている。
【００３７】
フレーム部材３は、押出成形により作られたものである。フレーム部材３は、略水平な板状をなすフレームベース３１と、フレームベース３１の外側縁から下方に延設された外側壁３２と、フレームベース３１の外側縁部近傍に立設されスリーブＡの下端部を外側から覆う覆い壁３３と、フレームベース３１の内縁部に設けられ下板材１の端縁に外嵌する嵌合溝たる下板材嵌合溝３５と、覆い壁３３における内面側の基端部に設けられコーナー部材２側に開口する嵌合孔３７と、下板材嵌合溝３５と嵌合孔３７との間に設けられスリーブＡの下端部が内嵌し得るスリーブ嵌合溝３８とを備えている。
【００３８】
フレームベース３１は、所定の方向に長尺をなす長方形状のものである。フレームベース３１の側端縁は、コーナー部材２の基部２１における内方端縁に突合するようになっている。また、フレームベース３１における外側壁３２の側端縁は、コーナー部材２における外側壁２２の側端縁に突合するようになっている。
【００３９】
下板材嵌合溝３５は、フレームベース３１の内側部分とフレームベース３１の中間部分から略Ｌ字状に突設された溝形成壁３４とによって構成されたものである。溝形成壁３４は、フレームベース３１に対して略直交する方向に延びた溝底形成壁３４ａと、溝底形成壁３４ａの端部から内方に向けて片持ち状に延設されフレームベース３１と略平行をなす内方延出壁３４ｂとを備えている。フレーム部材３は、下板材嵌合溝３５に下板材１の周縁部が内嵌することにより、下板材１と連結する。なお、フレーム部材３と下板材１とを連結するために接着剤を使用したり、ねじやリベット等の止着具を用いたりしてもよいのはもちろんのことである。また、下板材嵌合溝３５に熱可塑性エラストマー等を配設することにより水密性や気密性の高い接続を実現するようにしてもよい。
【００４０】
嵌合孔３７は、覆い壁３３の基端部分とフレームベース３１の中間部分から略Ｌ字状に突設された嵌合孔形成壁３６とによって構成されている。嵌合孔形成壁３６は、フレームベース３１に対して略直交する方向に延びた側壁３６ａと、側壁３６ａの端部から覆い壁３３方向に向けて延設されフレームベース３１と略平行をなし延出端が覆い壁３３の内面に接続する水平壁３６ｂとを備えている。
【００４１】
スリーブ嵌合溝３８は、スリーブＡの下端縁に外嵌する形態をなしている。すなわち、スリーブ嵌合溝３８は、フレームベース３１と、溝形成壁３４と、嵌合孔３７を形成する側壁３６ａとによって構成されている。
【００４２】
以上の構成をなす下閉塞体Ｂは、下面側にパレットＰの上載部Ｐ１すなわちパレットの上面部及び周縁部と係り合う凹部５が設けられている。より具体的に言えば、凹部５は、コーナー部材２の基部２１及び外側壁２２、フレーム部材３のフレームベース３１及び外側壁３２、及び、下板材１によって構成されている。
【００４３】
下閉塞体Ｂには、スリーブＡの下端部が装着されるようになっている。下閉塞体Ｂに対するスリーブＡの具体的な取付は、種々の方法により行われる。例えば、下閉塞体ＢとスリーブＡとを接着剤により接続するようにしてもよいし、ねじやリベット等の止着具を介して接続するようにしてもよいし、接着材と止着具の利用を併用するようにしてもよい。或いは、コーナー部材２の基部２１やフレーム部材３のスリーブ嵌合溝３８に熱可塑性エラストマー等を配設することにより水密性や気密性の高い接続を実現するようにしてもよい。
【００４４】
上閉塞体Ｃは、板材たる上板材１と、上板材１の周縁部に接続し当該上板材１を支持する枠材たる上枠材Ｄとを備えてなるものである。上枠材１は、上板材１の角部にそれぞれ配設されるコーナー部材２と、コーナー部材２間に配設されるフレーム部材３とを備えている。
【００４５】
この実施形態では、上閉塞体Ｃは、下閉塞体Ｂと同一構成のものを上下反転したものを用いている。このため、明細書における上閉塞体Ｃの説明は、下閉塞体Ｂにおいて述べた「上」・「下」の説明を、「下」・「上」に置き換えたものとなるため、詳細な説明を省略する。また、上閉塞体Ｃに使用する各構成部分の符号についても下閉塞体Ｂと同一のものを使用するものとする。
【００４６】
以上説明したように、本実施形態に係るスリーブコンテナＳは、四角筒状に構成されたスリーブＡと、スリーブＡの下部を閉塞する下閉塞体Ｂとを備えてなるものである。そして、下閉塞体Ｂが、板材たる下板材１と、下板材１の周縁部に接続し当該下板材１を支持する下枠材Ｄとを備えている。下枠材Ｄは、下板材１の角部にそれぞれ配設されるコーナー部材２と、各コーナー部材２間に配設されるフレーム部材３とを備えているものである。このため、製造段階におけるスペース効率に優れるとともに大きさの異なる製品を柔軟に形成し得るスリーブコンテナＳを提供することができるものとなる。
【００４７】
つまり、下閉塞体Ｂは、別個独立に構成された下板材１、コーナー部材２、及び、フレーム部材３を組み合わせて作られたものとなっている。このため、下閉塞体Ｂは、従来のような一体的構造物のように、成形工場においてもかさばった形状で管理及び保管されることがなく、且つ、組立工場においても組立前から多くの保管スペースを占有するものとならないため、製造段階におけるスペース効率に優れたものとなる。
【００４８】
しかも、従来のようなブロー成形による成形品と比較して高価な金型を適用する必要が無いため、製造コストの増大を適切に抑制し得るものとなる。また、異なる大きさのスリーブコンテナＳを、フレーム部材３及び下板材１の寸法を調整することにより容易に製造し得るものとなるため、近時の商取引において顕著である少量かつ多品種のニーズに極めて柔軟に対応できるものとなる。
【００４９】
さらに、フォークリフトのフォーク挿入孔Ｐ２を有するパレットＰは、既存品を無理なく適用することができるため、新作部品の削減に資するとともに製造コストの低減に寄与し得るものとなる。
【００５０】
下閉塞体Ｂの下面側に、パレットＰの上載部Ｐ１と係り合う凹部５が設けられている。このため、スリーブコンテナＳは、既知の構成をなすパレットＰに対して適切に位置決めされた上で、当該パレットＰ上に安定して載せ置かれるものとなる。
【００５１】
スリーブＡの上部を閉塞し得る上閉塞体Ｃを備えている。そして、上閉塞体Ｃが、板材たる上板材１と、上板材１の周縁部に接続し当該上板材１を支持する上枠材Ｄとを備えてなるものである。上枠材Ｄが、上板材１の角部にそれぞれ配設されるコーナー部材２と、コーナー部材２間に配設されるフレーム部材３とを備えている。このため、上閉塞体Ｃは、スリーブＡにより形成される上部の開口部Ｇを適切に閉塞し得るものとなる。
【００５２】
なお、この実施形態では、上閉塞体Ｃが、下閉塞体Ｂと同一の部品を用いて作られており、下閉塞体Ｂを上下反転させた姿勢をなしている。このため、異なる形状をなした多種類の部品の発生が適切に抑制されており、形状の異なる部品点数の増大が抑制されたものとなっている。
【００５３】
フレーム部材３が、押出成形により作られたものである。このため、金型の設計に関する製造コストの低減に資するだけでなく、異なる大きさのスリーブコンテナＳを生み出すための寸法調整が極めて柔軟に行えるものとなる。
【００５４】
コーナー部材２が、射出成形により作られたものである。このため、下枠材１（及び上枠材１）の角部分を担う必要な剛性を好適に実現し得るものとなっている。
【００５５】
コーナー部材２と、当該コーナー部材２に隣接するフレーム部材３とが、嵌合連結部４を介して相互に連結されたものである。このため、コーナー部材２とフレーム部材３とを嵌合させることにより、両者を容易に連結させることができるものとなる。
【００５６】
嵌合連結部４が、コーナー部材２に設けられ水平方向に突出した突出部２４と、フレーム部材３に設けられ突出部２４に外嵌する嵌合孔３７とを備えたものである。このため、突出部２４は射出成形されるコーナー部材２に無理なく形成され得るものとなるとともに、嵌合孔３７は押出成形されるフレーム部材３に無理なく形成され得るものとなる。
【００５７】
フレーム部材３が、下板材１の端縁に外嵌する嵌合溝を備えている。このため、下板材１とフレーム部材３とが好適に連結し得るものとなっている。
【００５８】
なお、本発明は、以上に詳述した実施形態に限られるものではない。
【００５９】
スリーブコンテナは、必ずしも上閉塞体を備えたものでなくてもよい。また、上閉塞体は、下閉塞体と同一構造のものを適用しなくてもよい。
【００６０】
スリーブは、プラスチック中空板により構成されたものに限られるものではない。
【００６１】
下閉塞体の下面側に設けられた凹部は、パレットの上載部に係合し得るものであればよく、パレットの上部に密接に嵌合するものでなくてもよい。
【００６２】
コーナー部材とフレーム部材とを連結する嵌合連結部は、種々の構成を採り得るものである。例えば、嵌合連結部が、フレーム部材に設けられ水平方向に突出した突出部と、コーナー部材に設けられ突出部に外嵌する嵌合孔とを備えたものであってもよい。
【００６３】
その他、各部の具体的構成についても上記実施形態に限られるものではなく、本発明の趣旨を逸脱しない範囲で種々変形が可能である。
【符号の説明】
【００６４】
Ｓ…スリーブコンテナ
Ａ…スリーブ
Ｂ…下閉塞体
Ｃ…上閉塞体
Ｄ…下枠材（枠材）
１…下板材（板材）
２…コーナー部材
３…フレーム部材
【図１】
2020083404.tif 000003
【図２】
2020083404.tif 000004
【図３】
2020083404.tif 000005
【図４】
2020083404.tif 000006
【図５】
2020083404.tif 000007
【図６】
2020083404.tif 000008
【図７】
2020083404.tif 000009
【図８】
2020083404.tif 000010
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
筒状に構成されたスリーブと、このスリーブの下部を閉塞する下閉塞体とを備えてなるスリーブコンテナであって、
前記下閉塞体が、板材と、この板材の周縁部に接続し当該板材を支持する枠材とを備えてなるものであり、
前記枠材が、前記板材の角部にそれぞれ配設されるコーナー部材と、これらコーナー部材間に配設されるフレーム部材とを備えているものであり、
前記スリーブの上部を閉塞し得る上閉塞体を備えたものであり、
前記上閉塞体が、上板材と、この上板材の周縁部に接続し当該上板材を支持する上枠材とを備えてなるものであり、
前記上枠材が、前記上板材の角部にそれぞれ配設されるコーナー部材と、これらコーナー部材間に配設され前記上板材の端縁に外嵌する嵌合溝を有したフレーム部材とを備えているスリーブコンテナ。
【請求項２】
前記下閉塞体の下面側に、パレットの上載部と係り合う凹部が設けられている請求項１記載のスリーブコンテナ。
【請求項３】
前記枠材における前記コーナー部材と、当該コーナー部材に隣接する前記フレーム部材とが、嵌合連結部を介して相互に連結されたものである請求項１又は２記載のスリーブコンテナ。
【請求項４】
前記枠材における前記嵌合連結部が、前記コーナー部材又は前記フレーム部材の何れか一方に設けられ水平方向に突出した突出部と、他方に設けられ前記突出部に外嵌する嵌合孔とを備えたものである請求項３記載のスリーブコンテナ。
【請求項５】
前記枠材における前記フレーム部材が、前記板材の端縁に外嵌する嵌合溝を備えている請求項１、２、３又は４記載のスリーブコンテナ。
【手続補正２】
【補正対象書類名】明細書
【補正対象項目名】００１０
【補正方法】変更
【補正の内容】
【００１０】
請求項１に記載の発明は、筒状に構成されたスリーブと、このスリーブの下部を閉塞する下閉塞体とを備えてなるスリーブコンテナであって、前記下閉塞体が、板材と、この板材の周縁部に接続し当該板材を支持する枠材とを備えてなるものであり、前記枠材が、前記板材の角部にそれぞれ配設されるコーナー部材と、これらコーナー部材間に配設されるフレーム部材とを備えているものであり、前記スリーブの上部を閉塞し得る上閉塞体を備えたものであり、前記上閉塞体が、上板材と、この上板材の周縁部に接続し当該上板材を支持する上枠材とを備えてなるものであり、前記上枠材が、前記上板材の角部にそれぞれ配設されるコーナー部材と、これらコーナー部材間に配設され前記上板材の端縁に外嵌する嵌合溝を有したフレーム部材とを備えているスリーブコンテナである。
【手続補正３】
【補正対象書類名】明細書
【補正対象項目名】００１２
【補正方法】変更
【補正の内容】
【００１２】
請求項３に記載の発明は、前記枠材における前記コーナー部材と、当該コーナー部材に隣接する前記フレーム部材とが、嵌合連結部を介して相互に連結されたものである請求項１又は２記載のスリーブコンテナである。
【手続補正４】
【補正対象書類名】明細書
【補正対象項目名】００１３
【補正方法】変更
【補正の内容】
【００１３】
請求項４に記載の発明は、前記枠材における前記嵌合連結部が、前記コーナー部材又は前記フレーム部材の何れか一方に設けられ水平方向に突出した突出部と、他方に設けられ前記突出部に外嵌する嵌合孔とを備えたものである請求項３記載のスリーブコンテナである。
【手続補正５】
【補正対象書類名】明細書
【補正対象項目名】００１４
【補正方法】変更
【補正の内容】
【００１４】
請求項５に記載の発明は、前記枠材における前記フレーム部材が、前記板材の端縁に外嵌する嵌合溝を備えている請求項１、２、３又は４記載のスリーブコンテナである。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】